(57)【特許請求の範囲】
【請求項１】
電話機を外部に接続可能なデータ通信装置において、
外部に接続されている電話機を鳴動させるための電話機鳴動用電圧を発生する電圧発生手段と；
上記電話機のオフフック状態を検出すると、第１の信号を出力するフック状態検出手段と；
上記フック状態検出手段から上記第１の信号を入力すると、上記電圧発生手段による電話機鳴動用電圧の発生を停止させる第２の信号を出力する制御を、ソフトウェア制御によって実行する制御手段と；
上記制御手段からの上記第２の信号と、上記フック状態検出手段からの上記第１の信号とを入力とし、上記第１の信号と上記第２の信号のいずれかが入力すると、上記電圧発生手段による電話機鳴動用電圧の発生を停止させる第３の信号を、上記電圧発生手段に出力するゲート手段と；
を有し、上記電圧発生手段は、上記第３の信号を入力すると、上記電話機鳴動用電圧の発生を停止することを特徴とするデータ通信装置。
【請求項２】
電話機を外部に接続可能なデータ通信装置において、
外部に接続されている電話機を鳴動させるために、周期的に変動する電圧を発生する電圧発生手段と；
上記電話機を上記電圧発生手段側と回線側とに切り替える切替手段と；
上記電話機のオフフック状態を検出するフック状態検出手段と；
上記フック状態検出手段によるオフフック検出に応答して上記切替手段を制御し、上記電圧発生手段側に接続されている上記電話機を、上記回線側に切り替える制御手段と；
上記制御手段を介さずに、上記フック状態検出手段と上記電圧手段とを接続する信号路と；
を有し、周期的に変動する電圧を発生している上記電圧発生手段に上記電話機が接続されている最中に、上記信号路を介して、上記電話機のオフフック検出信号を上記電圧発生手段が入力すると、上記電圧発生手段は、上記電圧の変動を停止することを特徴とするデータ通信装置。
【発明の詳細な説明】
【０００１】
【発明の属する技術分野】
本発明は、外付けの電話機を接続し、１回線をファクシミリと電話機の２端末で使用する機能（Ｆ／Ｔ切り替え機能）を有するファクシミリ装置等のデータ通信装置に関する。
【０００２】
【従来の技術】
近年、Ｆ／Ｔ切り替え機能を有するファクシミリ装置が増えている。ここで、Ｆ／Ｔ切り替えとは、ファクシミリと電話とを切り替える機能のことであり、１回線にファクシミリを接続し、ファクシミリに設けられた外付け電話機用の端子に電話機を接続する。
【０００３】
ファクシミリと電話機の切り替えは、ファクシミリ自体が行い、発呼側がファクシミリの場合、自動でファクシミリ受信を行い、発呼側が通常の電話の場合、接続されている電話機を鳴動させ、オペレータに受話器を取るように促す。
【０００４】
これにより、ファクシミリ用の回線と電話機の回線とを別々に設ける必要がなく、経済的で非常に有用な機能である。
【０００５】
図３は、このような従来のファクシミリ装置を示すブロック図である。
【０００６】
図３において、メイン制御部１は、ファクシミリ装置全体の制御を司るものであり、回線制御部２は、回線１０の接続を切り替え制御するものである。回線制御部２には、回線１０が接続され、外付けの電話機６もここに接続される。
【０００７】
オペレーションパネル（オペパネ）部３は、オペレータが各種キー入力を行うためのものである。原稿読み取り部５は、原稿を読み取るためのイメージセンサを含むものである。
【０００８】
このファクシミリ装置では、送信時に、原稿を原稿読み取り部５で読み取り、メイン制御部１で読み取った画像を圧縮し、回線制御部２を介して相手局に伝送する。ここで、伝送する相手局は、オペレーションパネル部３から入力する。
【０００９】
また、受信時は、回線からの呼出信号（ＣＩ信号）を検出し、回線制御部２は回線を相手機に接続させ、相手機からの画像情報を取り込む。
【００１０】
次に、図４は、従来の回線制御部２の構成例を示すブロック図である。
【００１１】
回線制御部２には、回線１０からの呼出信号（ＣＩ信号）を検出する着信検出手段１１と、回線１０とファクシミリ（ＦＡＸ）制御部１３の接続を制御する第１の回線切り替え手段１２と、回線と外付け電話機６の接続を制御する第２の回線切り替え手段１４と、外付け電話機６がフックアップされたかどうかを検出するフックアップ検出手段１５と、外付け電話機６を鳴動させるため、また、フックアップを検出するための電圧を供給する電圧発生手段１６とを有する。
【００１２】
前記フックアップ検出手段１５および着信検出手段１１は、メイン制御部１に接続され、ソフトウェアにより監視される。また、前記電圧発生手段１６も、メイン制御部１に接続され、ソフトウェアによって制御される。
【００１３】
電圧発生手段１６は、図５に示すように、メイン制御部１の制御によって２電圧を出力することができる。
【００１４】
この例では、制御信号が“Ｈ”の場合＋１２Ｖを、“Ｌ”の場合−１２０Ｖを出力する。
【００１５】
メイン制御部１によるソフトウェアの制御では、通常は、制御信号を“Ｈ”とし、＋１２Ｖを出力している。そして、フックアップ検出手段１５は、通常この電圧により駆動されている。
【００１６】
また、外付け電話機６を鳴動させたい場合には、制御信号の“Ｈ”、“Ｌ”のトグル動作を行い、電話機６を鳴動させる。
【００１７】
図７は、発呼側が電話である場合のＦ／Ｔ切り替え時のシーケンスを示す説明図である。
【００１８】
着信前に、被呼側の回線制御部２の回線切り替え手段１２は１側に、回線切り替え手段１４はＯＦＦの状態となっている。
【００１９】
そして、発呼側が発信を行うと、被呼側に呼出信号が送出される。被呼側は、これを着信検出手段１１で検出し、これにより回線切り替え手段１４をＯＮとし、回線１０はＦＡＸ制御部１３と接続される。
【００２０】
ここでＦＡＸ制御部１３は、この着信がファクシミリ送信が電話なのかを判断する。
【００２１】
そして、発呼側が電話と判断すると、ＦＡＸ制御部１３より回線１０上にリングバックトーンを疑似的に送出し、発呼側を待たせておきながら、前記電圧発生手段１６を制御することにより、外付け電話機６を鳴動させ、被呼側のオペレータに受話器を取るように促す。
【００２２】
ここで、被呼側が受話器を取ると、これが前記フックアップ検出手段１５により検出され、これにより回線制御部２の回線切り替え手段１４をＯＦＦとして回線１０をＦＡＸ制御部１３より切り離し、回線切り替え手段１２を２側に倒して回線と外付け電話機６を接続する。これにより、発呼側と被呼側は通話可能となる。
【００２３】
【発明が解決しようとする課題】
以上に述べた従来例では、前述のとおり、１回線をファクシミリ側と電話機側の２端末で使用することが可能となる。
【００２４】
しかし、従来の制御では、フックアップ検出手段１５および電圧発生手段１６の制御をソフトウェアで行っていたため、図６に示すように、Ｆ／Ｔ切り替えの外付け電話機６の鳴動時に、実際に外付け電話機６がフックアップされた時点から、それをＦＡＸ制御部１３が認識するまで、かなりの時間がかかり、そのために電圧発生手段１６への制御が遅れ、外付けの電話機６がフックアップされているにもかかわらず、高電圧がかかることとなる。
【００２５】
この状態は、フックアップした低インピーダンスの電話機に高電圧をかけることとなり、非常に危険で、電圧発生手段１６の破損や外付け電話機６の破損につながる恐れがある。
【００２６】
また、これを従来例において防止しようとすると、ソフトウェアの厳密な設計が必要となり、効率的でない。
【００２７】
そこで、本発明は、外付け電話機の鳴動用の電圧発生手段をソフトウェアのみで制御するのではなく、ハードウェアでも制御可能とし、フックアップした外付け電話機に高電圧をかける危険な状態を防止できるデータ通信装置を提供することを目的とする。
【００２８】
【課題を解決するための手段】
本発明においては、回線制御部のフックアップ検出手段の出力を利用し、電圧発生手段へのソフトウェアの制御が遅れたとしても、その制御線をディスエイブルとすることができるゲート手段を設ける。
【００２９】
これにより、Ｆ／Ｔ切り替えの外付け電話機の鳴動時に、外付けの電話機がフックアップされると、同時に電圧発生手段からの高電圧出力は遮断され、電圧発生手段の破損、外付け電話機の破損を防止できる。
【００３０】
【発明の実施の形態および実施例】
図１は、本発明の一実施例における回線制御部２の構成例を示すブロック図である。なお、ファクシミリ装置の全体構成は、上記図３に示したものと共通であるので、説明は省略する。
【００３１】
図１に示すように、本実施例の回線制御部２では、電圧発生手段１６の制御信号入力端にゲート回路１７を設けたものである。このゲート回路１７は、２入力ＮＡＮＤ回路の一方の入力端をインバータ入力端としたものであり、このインバータ入力端に、上記従来と同様のＦＡＸ制御部１３からの制御信号を入力し、他方の入力端に、フックアップ検出手段１５の検出信号を入力している。
【００３２】
なお、その他の構成は、上記従来例（図４）と同様であるので、説明は省略する。
【００３３】
図２は、上記のような構成における電圧発生手段１６の動作を示すタイミングチャートである。
【００３４】
図２に示すように、外付け電話機６の鳴動時に、実際に外付け電話機６がフックアップされた時点から、それをＦＡＸ制御部１３がソフトウェアで認識するまでかなりの時間がかかり、そのために電圧発生手段１６への制御が遅れる。
【００３５】
したがって、従来の動作であれば、外付けの電話機６がフックアップされているにもかかわらず、高電圧がかかることとなる。
【００３６】
しかし、前記ゲート回路１７により、電話機６のフックアップと同時に電圧発生手段１６の入力には“Ｈ”が入力され、電話機６に高電圧がかかるのを防止することができる。
【００３７】
また、被呼側が受話器を取ると、これが前記フックアップ検出手段１５により検出され、これにより回線制御部２の回線切り替え手段１４をＯＦＦとして回線１０をＦＡＸ制御部１３より切り離し、回線切り替え手段１２を２側に倒して回線１０と外付け電話機６を接続する。これにより発呼側と被呼側は通話可能となる。
【００３８】
なお、以上の実施例では、ファクシミリ装置について説明したが、本発明は、Ｆ／Ｔ切り替え機能を有する他のデータ通信装置についても同様に適用できるものである。
【００３９】
【発明の効果】
本発明によれば、ハードウェア制御によって、外部電話機のオフフックに応答して電話機鳴動用電圧の発生を速やかに停止するので、フックアップしている外部電話機に高電圧をかける危険な状態を防止することができ、しかも、電話機鳴動用電圧の発生自体を停止するので、電圧発生手段と外部電話機との間に信号路を遮断するスイッチを新たに設ける必要がないという効果を奏する。
【図面の簡単な説明】
【図１】本発明の一実施例による回線制御部の構成を示すブロック図である。
【図２】上記実施例の動作を示すタイミングチャートである。
【図３】ファクシミリ装置の構成を示すブロック図である。
【図４】従来例による回線制御部の構成を示すブロック図である。
【図５】上記従来例の動作を示すタイミングチャートである。
【図６】上記従来例の動作を示すタイミングチャートである。
【図７】ファクシミリ装置におけるＦ／Ｔ切り替えシーケンスを示す説明図である。
【符号の説明】
１…メイン制御部、
２…回線制御部、
３…オペレーションパネル部、
５…原稿読み取り部、
６…外付けの電話機、
１０…回線、
１１…着信検出手段、
１２、１４…回線切り替え手段、
１３…ＦＡＸ制御部、
１５…フックアップ検出手段、
１６…電圧発生手段、
１７…ゲート回路。
【図１】
0003554093.tif 000002
【図２】
0003554093.tif 000003
【図３】
0003554093.tif 000004
【図４】
0003554093.tif 000005
【図５】
0003554093.tif 000006
【図６】
0003554093.tif 000007
【図７】
0003554093.tif 000008